(57)【特許請求の範囲】
【請求項１】
所定の時間間隔で受信動作、非受信動作を繰返し行う第１の通信方式に対応する第１の無線信号を受信する第１の受信回路と、
前記第１の通信方式とは異なる第２の通信方式に対応する第２の無線信号を受信する第２の受信回路と、
前記第１の受信回路の少なくとも一部を共用して、前記第２の無線信号を受信する前記第２の受信回路とは異なる第３の受信回路と、
前記第２の受信回路における受信動作中であって、前記第１の受信回路における非受信動作中に、前記第３の受信回路において前記第２の無線信号を受信するように切替える切替制御手段と、
前記第２及び第３の受信回路における受信状況を判定する受信状況判定手段と、
前記第２及び第３の受信回路を用いて、前記第２の無線信号についてのダイバーシティを実行制御するダイバーシティ制御手段と、
を備え、
前記ダイバーシティ制御手段は、前記第１の受信回路における非受信動作中に、前記受信状況判定手段による判定結果に応じて、前記第２の無線信号についてのダイバーシティを実行制御することを特徴とする通信装置。
【請求項２】
前記受信状況判定手段は、更に、前記第１の受信回路における受信状況を判定し、
前記ダイバーシティ制御手段は、前記第１の受信回路における受信動作中に、前記受信状況判定手段による判定結果に応じ、前記第１の受信回路を用いて、前記第１の無線信号についてのダイバーシティを実行制御することを特徴とする請求項１記載の通信装置。
【請求項３】
前記第１及び第３の受信回路は、少なくともアンテナを共用し、
前記第１の受信回路は、そのアンテナにおける受信信号から前記第１の無線信号を抽出するフィルタ群を備え、
前記第３の受信回路は、そのアンテナにおける受信信号から前記第２の無線信号を抽出するフィルタ群を備え、
前記第２の受信回路は、そのアンテナとは異なる第２のアンテナにおける受信信号から前記第２の無線信号を抽出するフィルタ群を備えることを特徴とする請求項１または２記載の通信装置。
【請求項４】
前記第１及び第３の受信回路は、更に電力増幅器を共用することを特徴とする請求項１〜３の何れか一項に記載の通信装置。
【請求項５】
前記第１の通信方式は、携帯電話の通信方式であり、
前記第２の通信方式は、ブルートゥース規格に準じた無線通信方式であることを特徴とする請求項１〜４の何れか一項に記載の通信装置。
【請求項６】
所定の時間間隔で受信動作、非受信動作を繰返し行う第１の通信方式に対応する第１の無線信号を受信する第１の受信回路と、
前記第１の通信方式とは異なる第２の通信方式に対応する第２の無線信号を受信する第２の受信回路と、
前記第１の受信回路の少なくとも一部を共用して、前記第２の無線信号を受信する前記第２の受信回路とは異なる第３の受信回路と、
を備えた通信装置における通信制御方法であって、
前記第２の受信回路における受信動作中であって、前記第１の受信回路における非受信動作中に、前記第３の受信回路において前記第２の無線信号を受信するように切替える切替制御工程と、
前記第２及び第３の受信回路における受信状況を判定する受信状況判定工程と、
前記第２及び第３の受信回路を用いて、第２の無線信号についてのダイバーシティを実行制御するダイバーシティ制御工程と、
を含み、
前記ダイバーシティ制御工程は、前記第１の受信回路における非受信動作中に、前記受信状況判定工程による判定結果に応じて、前記第２の無線信号についてのダイバーシティを実行制御することを特徴とする通信制御方法。
【請求項７】
前記受信状況判定工程は、更に、前記第１の受信回路における受信状況を判定し、
前記ダイバーシティ制御工程は、前記第１の受信回路における受信動作中に、前記受信状況判定工程による判定結果に応じ、当該第１の受信回路を用いて、前記第１の無線信号についてのダイバーシティを実行制御することを特徴とする請求項６記載の通信制御方法。
【発明の詳細な説明】
【０００１】
【発明の属する技術分野】
本発明は、通信装置、及び通信制御方法に係り、詳細には、異なる２つの無線通信方式に対応した通信機能を有する通信装置、及びその通信動作を制御する通信制御方法に関する。
【０００２】
【従来の技術】
近年、ブルートゥース（bluetooth）と呼ばれる無線通信規格が策定されている。bluetooth規格は、２．４GHz帯の周波数の無線信号を利用し、およそ数メートル以内の複数の電子機器間で無線通信を行なうための通信規格である。
bluetooth規格に準じた無線通信ユニットを搭載した電子機器は、互いにピコネットと呼ばれる小規模なネットワークを形成し、同一のピコネットに属する電子機器間で相互に通信することができる。また、１台の電子機器が同時に複数のピコネットに属することもできる。
このため、携帯電話端末をはじめ、パーソナルコンピュータ、その周辺機器、音楽プレーヤ等の様々な機器を互いに接続する通信方式として注目されている。
【０００３】
例えば、ＰＤＣ（Personal Digital Cellular）方式の携帯電話に、bluetooth規格に準じた通信回路を搭載し、上記各種電子機器との間で、ＰＤＣ方式による主通信（携帯電話としての使用）を行いながら、bluetooth方式の通信を行なうといった使用形態が考えられる。
【０００４】
図５は、bluetooth規格に準じた通信回路を組み込んだＰＤＣ方式の携帯電話の通信部１００の従来の構成を示すブロック図である。
図５に示すように、通信部１００は、ＰＤＣ方式の信号（以下、ＰＤＣ信号という）を送受信するためのＰＤＣ送受信回路（ＰＤＣ受信回路１１１、ＰＤＣ送信回路１１２、アンテナ切替器１１３、アンテナＡＮＴ１、ＡＮＴ２）と、bluetooth方式の信号（以下、bluetooth信号という）を送受信するためのbluetooth送受信回路（ＰＤＣ受信回路１２１、ＰＤＣ送信回路１２２、アンテナ切替器１２３、アンテナＡＮＴ３）と、ベースバンド部４と、を備える。
【０００５】
ＰＤＣ方式で用いられるＴＤＭＡ方式の通信装置は、フェージング対策としてダイバーシティ制御が行われている。ここでは、アンテナ切替ダイバーシティ方式を採用した例を示している。
つまり、２つのアンテナＡＮＴ１，ＡＮＴ２を備え、各アンテナＡＮＴ１及びＡＮＴ２はアンテナ切替器１１３に接続され、アンテナ切替器１１３はこれら２つのアンテナＡＮＴ１，ＡＮＴ２のうち、受信状況の良い方のアンテナを使用するよう切替える。この切替え動作はベースバンド部４により制御される。
【０００６】
また、bluetooth規格に準じた無線通信機能を搭載するためには、通常、ＰＤＣ受信用のアンテナＡＮＴ１，ＡＮＴ２とは別に、少なくとも一つのアンテナと１系統の送信回路と、１系統の受信回路と、を備える必要がある。
即ち、bluetooth送受信回路は、bluetooth受信回路１２１、bluetooth送信回路１２２、アンテナ切替器１２３、及びアンテナＡＮＴ３を備えて構成される。
アンテナ切替器１２３は、アンテナＡＮＴ３をbluetooth受信回路１２１側、或いはbluetooth送信回路１２２側に切替えるスイッチであり、切替え動作はベースバンド部４により制御される。
【０００７】
このように、携帯電話等の通信機器にbluetooth規格に準じた無線通信ユニットを組み込む場合は、主通信のための送受信回路、即ち上述の例ではＰＤＣ方式の送受信回路と、これとは別のbluetooth方式の送受信回路と、を夫々独立して組み込んでいた。
そして、bluetooth信号の受信特性を改善するためにダイバーシティ機能を搭載する場合には、bluetooth送受信回路として２本のアンテナと１系統の送信回路と２系統の受信回路とが必要である。
【０００８】
【発明が解決しようとする課題】
しかしながら、上述のような、主通信回路（ＰＤＣ方式）とは異なる他の通信方式（bluetooth方式等）の通信回路を組み込んだ従来の通信装置では、装置の小型化のために、他の通信方式（bluetooth方式）の回路構成を制限する傾向があった。
【０００９】
つまり、他の通信方式（bluetooth方式）側のダイバーシティを行うための構成は省略されてしまう傾向にあった。そのため、他の通信方式（bluetooth方式）の信号を受信する際はフェージングによる特性劣化が起こりやすく、安定した通信動作が妨げられていた。
【００１０】
本発明の課題は、主通信回路の他に、これとは異なる無線通信方式に対応する通信回路を備えた通信装置において、簡略な回路構成で、他の無線通信方式の通信回路にて安定した通信動作を行うことが可能な通信装置、及び通信制御方法を提供することである。
【００１１】
【課題を解決するための手段】
このような課題を解決するため、請求項１記載の発明は、
所定の時間間隔で受信動作、非受信動作を繰返し行う第１の通信方式（例えば、ＰＤＣ通信方式）に対応する第１の無線信号を受信する第１の受信回路（例えば、図１に示すＰＤＣ受信回路１１）と、
前記第１の通信方式とは異なる第２の通信方式（例えば、bluetooth規格に準じた無線通信方式）に対応する第２の無線信号を受信する第２の受信回路（例えば、図１に示すbluetooth受信回路２１）と、
前記第１の受信回路の少なくとも一部を共用して、前記第２の無線信号を受信する前記第２の受信回路とは異なる第３の受信回路（例えば、図１に示すbluetooth受信回路３１）と、
前記第２の受信回路における受信動作中であって、前記第１の受信回路における非受信動作中（例えば、図３（Ｃ）の（１））に、前記第３の受信回路において前記第２の無線信号を受信するように切替える切替制御手段（例えば、図１に示すベースバンド部４、スイッチＳＷ１、図４のステップＳ１〜Ｓ３→Ｓ４）と、
前記第２及び第３の受信回路における受信状況を判定する受信状況判定手段（例えば、図１に示すベースバンド部４、図４のステップＳ２、Ｓ４）と、
前記第２及び第３の受信回路を用いて、前記第２の無線信号についてのダイバーシティを実行制御するダイバーシティ制御手段（例えば、図１に示すベースバンド部４、図４のステップＳ４）と、
を備え、
前記ダイバーシティ制御手段は、前記第１の受信回路における非受信動作中に、前記受信状況判定手段による判定結果に応じて、前記第２の無線信号についてのダイバーシティを実行制御することを特徴としている。
【００１２】
ここで、ダイバーシティ制御手段は、第２の無線信号についてのダイバーシティ方式として、検波後選択ダイバーシティ方式を採用するものとしてもよいし、受信波の合成ダイバーシティ方式を採用するものとしてもよい。
【００１３】
また、第１の受信回路における非受信動作中とは、例えば、第１の無線信号の待ち受け中、或いは通信動作中での非受信スロット（図３（Ｃ）の（１））を含む。
【００１４】
また、受信状況の判定結果は、受信電界強度（ＲＳＳＩ）を所定の閾値と比較して得るものとしてもよいし、或いは受信信号のビット誤り率を所定の閾値と比較して得るものとしてもよい。
【００１５】
請求項１記載の発明によれば、第２の受信回路とは別に、第１の無線信号を受信する第１の受信回路の一部を共用して第２の無線信号を受信する第３の受信回路を備えたことにより、簡略な構成で、第２の無線信号の受信回路を２系統備えることができる。また、ダイバーシティ制御手段によって、第１の受信回路における非受信動作中に、これら２系統（第２及び第３）の受信回路を用いて第２の信号についてのダイバーシティを実行するようにしたので、装置全体の回路構成を最小限に抑えたまま、第２の無線信号の受信特性を向上させることができ、安定した通信動作を行なえるようになる。また、切替制御手段によって、第２の受信回路における受信動作中であって、第１の受信回路における非受信動作中に、第３の受信回路において第２の無線信号を受信するように自動的に切替えるので、この区間において第２の無線信号についてのダイバーシティを実行でき、第１の無線信号の受信を妨げずに、第２の無線信号の受信特性を向上できる。また、受信状況判定手段によって、第２の受信回路における受信状況を判定し、この判定結果に応じて第２の無線信号についてのダイバーシティを実行するため、受信状況が良好であれば第２の無線信号についてのダイバーシティを行う必要がなくなるため、適切なダイバーシティ制御が行える。
【００１６】
請求項２記載の発明は、請求項１記載の発明の通信装置において、
前記受信状況判定手段は、更に、前記第１の受信回路における受信状況を判定し、
前記ダイバーシティ制御手段は、前記第１の受信回路における受信動作中に、前記受信状況判定手段による判定結果に応じ、前記第１の受信回路を用いて、前記第１の無線信号についてのダイバーシティを実行制御することを特徴としている。
【００１７】
請求項２記載の発明によれば、ダイバーシティ制御手段によって、第１の受信回路における受信動作中に、第１の受信回路を用いて第１の信号についてのダイバーシティを実行するようにしたので、第１の無線信号の受信特性を向上させることができ、安定した通信動作を行なえるようになる。
【００１８】
請求項３記載の発明は、請求項１または２記載の発明の通信装置において、
前記第１及び第３の受信回路は、少なくともアンテナ（例えば、図１に示すアンテナＡＮＴ１またはＡＮＴ２）を共用し、
前記第１の受信回路は、そのアンテナにおける受信信号から前記第１の無線信号を抽出するフィルタ群（例えば、図１に示すＢＰＦ１１ａ、ＢＰＦ１１ｃを含む）を備え、
前記第３の受信回路は、そのアンテナにおける受信信号から前記第２の無線信号を抽出するフィルタ群（例えば、図１に示すＢＰＦ３１ａ、ＢＰＦ３１ｂを含む）を備え、
前記第２の受信回路は、そのアンテナとは異なる第２のアンテナ（例えば、図１に示すアンテナＡＮＴ３）における受信信号から前記第２の無線信号を抽出するフィルタ群（例えば、図１に示すＢＰＦ２１ａ、ＢＰＦ２１ｂを含む）を備えることを特徴としている。
【００１９】
請求項３記載の発明によれば、第１及び第３の受信回路でアンテナを共用し、そのアンテナにおける受信信号から第１の受信回路では第１の無線信号を抽出し、第３の受信回路では第２の無線信号を抽出でき、更に、第２の受信回路では、そのアンテナとは異なるアンテナにて第２の無線信号を受信できるので、異なる２つのアンテナから第２の無線信号を夫々受信して、ダイバーシティを実行できる。また、アンテナのような大規模な構成を、第１及び第３の受信回路で共用できるので、装置を小型化できる。
【００２０】
請求項４記載の発明は、請求項１〜３の何れか一項に記載の通信装置において、
前記第１及び第３の受信回路は、更に電力増幅器（例えば、図１に示すＬＮＡ１１ｂ）を共用することを特徴としている。
【００２１】
請求項４記載の発明によれば、第１及び第３の受信回路は、更に電力増幅器を共用するので装置をより小型化できる。
【００２２】
また、請求項５記載の発明のように、請求項１〜４の何れか一項に記載の通信装置において、
前記第１の通信方式を、携帯電話の通信方式（例えば、ＰＤＣ方式）とし、
前記第２の通信方式を、例えばbluetooth規格に準じた無線通信方式とすることが望ましい。
【００２３】
請求項５記載の発明によれば、bluetooth規格に準じた無線通信機能を組み込んだ携帯電話に適用し、携帯電話端末を小型に抑えたまま、bluetooth規格に準じた無線通信の通信品質を向上できる。
【００２４】
請求項６記載の発明は、
所定の時間間隔で受信動作、非受信動作を繰返し行う第１の通信方式に対応する第１の無線信号を受信する第１の受信回路（例えば、図１に示すＰＤＣ受信回路１１）と、
前記第１の通信方式とは異なる第２の通信方式に対応する第２の無線信号を受信する第２の受信回路（例えば、図１に示すbluetooth受信回路２１）と、
前記第１の受信回路の少なくとも一部を共用して、前記第２の無線信号を受信する前記第２の受信回路とは異なる第３の受信回路（例えば、図１に示すbluetooth受信回路３１）と、
を備えた通信装置における通信制御方法であって、
前記第２の受信回路における受信動作中であって、前記第１の受信回路における非受信動作中に、前記第３の受信回路において前記第２の無線信号を受信するように切替える切替制御工程（例えば、図４のステップＳ１〜Ｓ３→Ｓ４）と、
前記第２及び第３の受信回路における受信状況を判定する受信状況判定工程（例えば、図４のステップＳ４）と、
前記第２及び第３の受信回路を用いて、第２の無線信号についてのダイバーシティを実行制御するダイバーシティ制御工程（例えば、図４のステップＳ４）と、
を含み、
前記ダイバーシティ制御工程は、前記第１の受信回路における非受信動作中に、前記受信状況判定工程による判定結果に応じて、前記第２の無線信号についてのダイバーシティを実行制御することを特徴としている。
【００２５】
請求項６記載の発明によれば、第２の受信回路とは別に、第１の無線信号を受信する第１の受信回路の一部を共用して第２の無線信号を受信する第３の受信回路を備えた通信装置における通信動作を制御するために、前記第２の受信回路における受信動作中であって、前記第１の受信回路における非受信動作中に、前記第３の受信回路において前記第２の無線信号を受信するように切替え、前記第２及び第３の受信回路を用いて、第２の無線信号についてのダイバーシティを実行制御する。また、第２の受信回路における受信状況を判定し、この判定結果に応じて第２の無線信号についてのダイバーシティを実行するか否かを決定するため、１系統の受信回路での受信状況が良好であれば第２の無線信号についてのダイバーシティを行う必要がなくなるため、適切なダイバーシティ制御が行える。
【００２６】
従って、第２の受信回路における受信動作中であって、第１の受信回路における非受信動作中は、第３の受信回路でも第２の無線信号を受信するように自動的に切替え、この区間において２系統（第２及び第３）の受信回路にて第２の無線信号を受信するため、第２の無線信号についてのダイバーシティを実行できる。そのため、第２の無線信号の受信特性を向上させることができ、安定した通信動作が行なえるようになる。
【００２７】
請求項７記載の発明は、請求項６記載の通信制御方法において、
前記受信状況判定工程は、更に、前記第１の受信回路における受信状況を判定し、
前記ダイバーシティ制御工程は、前記第１の受信回路における受信動作中に、前記受信状況判定工程による判定結果に応じ、当該第１の受信回路を用いて、前記第１の無線信号についてのダイバーシティを実行制御することを特徴としている。
【００２８】
請求項７記載の発明によれば、ダイバーシティ制御手段によって、第１の受信回路における受信動作中に、第１の受信回路を用いて第１の信号についてのダイバーシティを実行するようにしたので、第１の無線信号の受信特性を向上させることができ、安定した通信動作を行なえるようになる。
【００３１】
【発明の実施の形態】
以下、図を参照して本発明に係る通信装置の実施の形態を詳細に説明する。
【００３２】
まず、構成を説明する。
図１は本実施の形態の通信装置１０の構成を示すブロック図である。
図１に示すように、通信装置１０は、ＰＤＣ通信方式に基づいて無線信号を送受信するとともに、その一部をbluetooth受信回路と共用するＰＤＣ送受信回路（ＰＤＣ受信回路１１、ＰＤＣ送信回路１２、アンテナＡＮＴ１，ＡＮＴ２、及びアンテナ切替器１３）と、bluetooth通信方式に基づいて無線信号を送受信する送受信回路（bluetooth受信回路２１、bluetooth送信回路２２、アンテナＡＮＴ３、及びアンテナ切替器２３）と、ＰＤＣ受信回路１１の一部を共用して構成されるbluetooth受信回路３１と、ベースバンド部４と、を備えて構成される。
【００３３】
即ち、通信装置１０は、主通信としてＰＤＣ通信方式に基づいて無線信号を送受信する機能と、bluetooth規格に準じた無線通信方式に基づいて無線信号を送受信する機能と、を搭載している。
以下の説明において、ＰＤＣ通信方式を「ＰＤＣ方式」、bluetooth規格に準じた通信方式を「bluetooth方式」と表記する。また、ＰＤＣ方式に基づいて送受信される信号を「ＰＤＣ信号」、bluetooth方式に基づいて送受信される信号を「bluetooth信号」と表記する。
【００３４】
まず、ＰＤＣ送受信回路について説明する。
ＰＤＣ送受信回路は、図１に示すように、ＰＤＣ受信回路１１、ＰＤＣ送信回路１２、アンテナＡＮＴ１，ＡＮＴ２、及びアンテナ切替器１３により構成される。
【００３５】
アンテナＡＮＴ１，ＡＮＴ２はアンテナ切替器１３を介してＰＤＣ受信回路１１及びＰＤＣ送信回路１２に接続される。
アンテナ切替器１３は、ベースバンド部４から供給されるアンテナ切替制御信号に基づいて、上記アンテナＡＮＴ１，ＡＮＴ２のうち使用するアンテナを切替る。具体的には、送信動作時はアンテナＡＮＴ１に切替え、また、受信動作時はアンテナ切替ダイバーシティを実行して、アンテナＡＮＴ１またはＡＮＴ２のうち何れか受信状況のよい方のアンテナに切替える。
【００３６】
ＰＤＣ受信回路１１は、ＢＰＦ（帯域通過フィルタ）１１ａ、ＢＰＦ３１ａ、スイッチＳＷ１、ＬＮＡ（低雑音増幅器）１１ｂ、ＢＰＦ１１ｃ、ＢＰＦ３１ｂ、ＭＩＸ（ミキサ）１１ｄ、ＢＰＦ１１ｅ、及びＩＦ ＩＣ１１ｆにより構成される。このうち、ＢＰＦ３１ａ、ＬＮＡ（低雑音増幅器）１１ｂ、ＢＰＦ３１ｂは、アンテナＡＮＴ１またはＡＮＴ２にて受信した信号からbluetooth信号を抽出するための構成である。
【００３７】
アンテナＡＮＴ１またはＡＮＴ２において受信したＲＦ信号はアンテナ切替器１３を介してＢＰＦ（帯域通過フィルタ）１１ａとＢＰＦ３１ａとに入力される。
ＢＰＦ１１ａは、上記ＲＦ信号をＰＤＣ信号の周波数に帯域制限する。また、ＢＰＦ３１ａは上記ＲＦ信号をbluetooth信号の周波数に帯域制限する。これらＢＰＦ１１ａ及び３１ａからの出力信号はスイッチＳＷ１に入力される。
【００３８】
スイッチＳＷ１は、ＢＰＦ１１ａまたはＢＰＦ３１ａの出力信号のうち、いずれか一方を選択して、ＬＮＡ１１ｂに供給するための切替スイッチであり、ＰＤＣ信号の受信スロットではＢＰＦ１１ａ側に切替えられ、ＰＤＣ信号の非受信スロットではＢＰＦ３１ａ側に切替えられる。また、ＰＤＣ待ち受け中もＢＰＦ３１ａ側に切替えられる。スイッチＳＷ１の切替動作は、ベースバンド部４によって制御される。
【００３９】
ＬＮＡ（低雑音増幅器）１１ｂは、スイッチＳＷ１により選択された信号を増幅し、ＢＰＦ１１ｃとＢＰＦ３１ｂとに供給する。
ＢＰＦ１１ｃは、ＬＮＡ１１ｂにより増幅された信号をＰＤＣ信号の周波数に帯域制限してＭＩＸ（ミキサ）１１ｄに供給する。
また、ＢＰＦ３１ｂは上記ＬＮＡ１１ｂにより増幅された信号をbluetooth信号の周波数に帯域制限し、bluetooth受信回路３１へ供給する。
【００４０】
ＭＩＸ１１ｄは、ＢＰＦ１１ｃから出力される信号に局部発信器１４から供給される信号をミキシングし、ダウンコンバートする。
ＢＰＦ１１ｅはＭＩＸ１１ｄによりダウンコンバートされた信号を帯域制限し、ＩＦ ＩＣ１１ｆに供給する。
ＩＦ ＩＣ１１ｆは、ＢＰＦ１１ｅから入力された信号を局部発信器１６から供給される信号によってダウンコンバートし、中間周波信号（ＩＦ信号）を生成してベースバンド部４に出力するとともに、アンテナＡＮＴ１またはＡＮＴ２において受信した信号の受信電界強度（ＲＳＳＩ）を検出し、ＲＳＳＩ信号としてベースバンド部４に出力する。
【００４１】
以上のように構成されるＰＤＣ受信回路１１において、ＰＤＣ信号を受信する際（ＰＤＣ信号の受信スロット）は、スイッチＳＷ１がＢＰＦ１１ａ側に接続されている。つまり、ＢＰＦ１１ａ及びスイッチＳＷ１によって、アンテナＡＮＴ１またはＡＮＴ２により受信したＲＦ信号はＰＤＣの周波数に帯域制限され、ＬＮＡ１１ｂに入力されて増幅され、更に、ＢＰＦ１１ｃによってＰＤＣ信号の周波数成分が抽出され、ミキサ１１ｄにより局部発振器１４から供給される周波数信号とミキシングされてダウンコンバートされる。ダウンコンバートされた信号からＢＰＦ１１ｅ及びＩＦ ＩＣ１１ｆによってＩＦ信号が生成され、ベースバンド部４へ供給される。
【００４２】
また、ＰＤＣ受信回路１１におけるＰＤＣ信号の非受信スロットでは、スイッチＳＷ１がＢＰＦ３１ａ側に切替られる。つまり、ＢＰＦ３１ａとスイッチＳＷ１によって、アンテナＡＮＴ１またはＡＮＴ２により受信したＲＦ信号はbluetoothの周波数に帯域制限され、ＬＮＡ１１ｂに入力されて増幅され、更に、ＢＰＦ３１ｂによってbluetooth信号の周波数成分が抽出される。ＢＰＦ３１ｂの出力はＰＤＣ受信回路１１から分岐し、bluetooth受信回路３１へ入力され、検波器３１ｃへ供給される。
【００４３】
ＰＤＣ送信回路１２は、変調器１２ａ、ＢＰＦ１２ｂ、ＭＩＸ１２ｃ、ＢＰＦ１２ｄ、アンプ（ＡＭＰ）１２ｅ、及びＬＰＦ（ローパスフィルタ）１２ｆによって構成される。
ベースバンド部４から供給されるＩ，Ｑ信号は変調器１２ａに入力され、変調器１２ａによって局部発信器１５から供給される信号によりπ／４シフト４相ＱＰＳＫ変調され、変調器１２ａによって変調された信号はＢＰＦ１２ｂによって帯域制限され、ＭＩＸ１２ｃによって局部発振器１４から供給される信号とミキシングされる。更に、ＢＰＦ１２ｄ、アンプ１２ｅ、及びＬＰＦ１２ｆによって必要な周波数成分が取り出され電力増幅され、アンテナ切替器１３を介してアンテナＡＮＴ１またはＡＮＴ２から送出される。
【００４４】
次に、bluetooth送受信回路について説明する。
bluetooth送受信回路は、アンテナ切替器２３を介してアンテナＡＮＴ３に接続されるbluetooth受信回路２１及びbluetooth送信回路２２と、アンテナ切替器１３、アンテナＡＮＴ１，ＡＮＴ２、及びＬＮＡ１１ｂ等の一部の回路構成をＰＤＣ受信回路１１と共用するbluetooth受信回路３１と、により構成される。即ち、計３本のアンテナと、２系統のbluetooth受信回路と、１系統のbluetooth送信回路と、を備える。
【００４５】
アンテナＡＮＴ３はアンテナ切替器２３を介してbluetooth受信回路２１またはbluetooth送信回路２２の何れかに接続される。
アンテナ切替器２３はベースバンド部４から供給されるアンテナ切替制御信号に基づいて、受信動作時は上記アンテナＡＮＴ３をbluetooth受信回路２１に切替え、送信動作時はbluetooth送信回路２２に切替る。
【００４６】
bluetooth受信回路２１は、ＢＰＦ２１ａ、ＬＮＡ２１ｂ、ＢＰＦ２１ｃ、及び検波器２１ｄによって構成される。
アンテナＡＮＴ３において受信したＲＦ信号はアンテナ切替器２３を介してＢＰＦ２１ａに入力される。ＢＰＦ２１ａは、上記ＲＦ信号をbluetooth信号の周波数に帯域制限し、ＬＮＡ２１ｂに供給する。ＬＮＡ２１ｂは、ＢＰＦ２１ａからの出力信号を増幅してＢＰＦ２１ｃに供給する。ＢＰＦ２１ｃは、ＬＮＡ２１ｂによって増幅された信号からbluetooth信号の周波数成分を抽出し、検波器２１ｄに供給する。検波器２１ｄは抽出されたbluetooth信号を、bluetooth送信回路２２の局部発信器２２ａから供給される信号に基づいて検波し、その検波出力であるＩ，Ｑ信号をベースバンド部４に供給する。また、検波器２１ｄは、アンテナＡＮＴ３において受信した信号の受信電界強度（ＲＳＳＩ）を検出し、ＲＳＳＩ信号としてベースバンド部４に出力する。
【００４７】
bluetooth送信回路２２は、局部発信器２２ａ、ＢＰＦ２２ｂ、ＡＭＰ２２ｃ、及びＬＰＦ２２ｄによって構成される。局部発信器２２ａは、ベースバンド部４から供給される送信データに基づいて所定周波数の信号をＢＰＦ２２ｂに供給する。そして、ＢＰＦ２２ｂ、アンプ２２ｃ、ＬＰＦ２２ｄによって、信号の帯域を制限し、電力増幅し、アンテナ切替器２３を介してアンテナＡＮＴ３から送出する。
【００４８】
bluetooth受信回路３１は、bluetooth受信回路２１とは別に設けられる検波器３１ｃと、ＰＤＣ受信回路１１に含まれるＢＰＦ３１ａ、ＬＮＡ１１ｂ、ＢＰＦ３１ｂと、によって構成される。
【００４９】
即ち、bluetooth受信回路３１は、アンテナＡＮＴ１及びＡＮＴ２をＰＤＣ受信回路１１と共用し、かつ、ＰＤＣ受信回路１１に含まれるＬＮＡ１１ｂを共用する。またＰＤＣ受信回路１１に含まれるＢＰＦ３１ａ、スイッチＳＷ１、及びＢＰＦ３１ｂはアンテナＡＮＴ１またはＡＮＴ２において受信したＲＦ信号からbluetooth信号を抽出するためのフィルタ群として機能する。
bluetooth受信回路３１にてbluetooth信号を受信する際は、ベースバンド部４からのスイッチ切替制御信号によりＰＤＣ受信回路１１のスイッチＳＷ１がＢＰＦ３１ａ側に切替えられている。
【００５０】
アンテナＡＮＴ１またはＡＮＴ２において受信し、アンテナ切替器１３を介してＰＤＣ受信回路１１に入力されたＲＦ信号は、まず、ＢＰＦ１１ａ及びＢＰＦ３１ａに入力されるが、スイッチＳＷ１はＢＰＦ３１ａ側に切替えられているためbluetooth信号の周波数帯域に制限された信号が選択され、ＬＮＡ１１ｂに供給される。ＬＮＡ１１ｂは、その信号を増幅してＢＰＦ１１ｃ及びＢＰＦ３１ｂに供給する。そして、ＢＰＦ３１ｂによってbluetooth信号の周波数に帯域制限された信号はbluetooth受信回路３１の検波器３１ｃに供給される。
【００５１】
検波器３１ｃは、ＰＤＣ受信回路１１のＢＰＦ３１ｂから供給される信号をbluetooth送信回路２２の局部発信器２２ａから供給される信号に基づいて検波し、その検波出力であるＩ，Ｑ信号をベースバンド部４に出力する。また、検波器３１ｃは、アンテナＡＮＴ１，ＡＮＴ２において受信した信号の受信電界強度（ＲＳＳＩ）を検出し、ＲＳＳＩ信号としてベースバンド部４に出力する。
【００５２】
ここで、bluetooth通信における送受信タイミングについて、図２を参照して説明する。
bluetooth方式の通信回路を搭載した複数の電子機器は、互いにピコネットと呼ばれる小規模ネットワークを形成する。ピコネットでは、一つのマスタと最大７つまでのスレーブが通信できる。そのため、それらが通信を行うために、全ての電子機器で周波数軸上と時間軸上で同期が図られている。同一ピコネット内に複数のスレーブが存在している場合には、スレーブとマスタの通信路は、それら全てのスレーブで時分割多重しながら共有されている。その時分割多重の単位は、タイムスロットと呼ばれる６２５μsecの時間間隔である。
【００５３】
図２は、本通信回路１０を搭載した電子機器と、bluetooth通信機能を有する他の電子機器と、によりピコネットを形成し、一方をマスタ、他方をスレーブとして送受信動作させる場合の、パケット送受信のタイミングを示している。
図２に示す「ｆ（２ｋ）」とは、スロット番号「２ｋ（偶数）」におけるマスタの送信周波数を意味し、「ｆ（２ｋ＋１）」とは、スロット番号「２ｋ＋１（奇数）」におけるスレーブの送信周波数を意味する。
【００５４】
図２に示すように、同一ピコネットに存在するマスタと各スレーブの送受信パケットの方向は、スロット番号が偶数、即ち、「２ｋ」，「２ｋ＋２」，…の場合は、マスタからスレーブにパケットの送信が行われる。スロット番号が奇数の場合、即ち「２ｋ＋１」，「２ｋ＋３」，…は、スレーブからマスタにパケットが送信される。
なお、偶数スロットにおいてマスタからパケットを受信したスレーブのみが奇数スロットにおいてマスタにパケットを送信できる。また、スレーブがパケットを送信する奇数スロットとは、パケットを受信した偶数スロット「２ｋ」の直後にある奇数スロット「２ｋ＋１」においてのみであり、それ以外の奇数スロットでは送信が禁止される。
【００５５】
ベースバンド部４は、ＰＤＣ方式に基づく送受信動作、及びbluetooth方式に基づく送受信動作を制御するとともに、送受信する信号やデータを処理する。
例えば、ＰＤＣ送受信のための処理として、π／４ＱＰＳＫ変復調処理、ＴＤＭＡ処理、音声処理、誤り訂正等の各種処理を行う。また、bluetooth送受信のための処理として、通信リンクの提供、周波数ホッピングを管理するための送受信周波数の指定・切替処理、時間軸スロットの管理処理、パケットの再送処理、誤り訂正処理等を行う。
【００５６】
また、ベースバンド部４は、ＰＤＣ受信スロットではスイッチＳＷ１をＢＰＦ１１ａ側に切替えてＰＤＣ受信回路１１においてＰＤＣ信号の受信動作を行わせ、ＰＤＣ送信スロットではＰＤＣ送信回路１２において送信動作を行わせるよう制御する（図３（Ａ）、（Ｂ）参照）。また、本実施の形態の通信装置１は、ＰＤＣ受信動作においてアンテナ切替ダイバーシティを実行するため、アンテナＡＮＴ１及びＡＮＴ２から供給される各受信信号のＲＳＳＩ値を比較し、ＲＳＳＩ値の大きい方のアンテナを選択するようアンテナ切替器１３を制御し、使用するアンテナを切替える。
【００５７】
また、ベースバンド部４は、bluetooth信号についてのダイバーシティ動作を制御する。即ち、ベースバンド部４は、ダイバーシティ制御処理（図４参照）を実行し、bluetooth通信動作中はbluetooth受信回路２１において測定されたＲＳＳＩ信号に基づいて受信状況を判定する。そのＲＳＳＩ値が所定閾値（ＸdB）より大きければ受信状況が良好であるため、bluetooth信号についてのダイバーシティを実行しないこととする。
【００５８】
一方、bluetooth受信回路２１の受信状況が良好でない場合、即ち、ＲＳＳＩ値が所定閾値（ＸdB）以下であれば、更にＰＤＣ受信回路１１におけるＰＤＣ受信スロットであるか否かを判別し、ＰＤＣ非受信スロット（図３（Ｃ）の▲１▼）ではbluetooth信号のダイバーシティ動作を行い、ＰＤＣ受信スロット（図３（Ｃ）の▲２▼）はbluetooth信号のダイバーシティ動作を行わないよう制御する。即ち、ＰＤＣ非受信スロットではスイッチＳＷ１をＢＰＦ３１ａ側に切替えてアンテナＡＮＴ１またはＡＮＴ２における受信信号からbluetooth信号を抽出し、bluetooth受信回路３１にて検波するとともに、アンテナＡＮＴ３における受信信号をbluetooth受信回路２１にて検波し、これら２系統のbluetooth受信回路２１、３１からの検波出力を用いて、ダイバーシティ動作を行う。
【００５９】
ここで、bluetooth信号についてのダイバーシティ方式は、検波後選択ダイバーシティ方式を採用してもよいし、受信波の合成ダイバーシティ方式を採用してもよい。
【００６０】
検波後選択ダイバーシティ方式を採用した場合は、ベースバンド部４は、bluetooth受信回路２１及びbluetooth受信回路３１において受信した各bluetooth信号のうち、何れか受信状況の良い方を選択する。受信状況の判定には、各受信回路３１，２１から供給されるＲＳＳＩ信号の値を比較し、いずれかＲＳＳＩ値の大きいほうの検波出力を受信レベルが良好であると判定する。
【００６１】
また、受信波の合成ダイバーシティ方式を採用した場合は、ベースバンド部４は、bluetooth受信回路２１及びbluetooth受信回路３１からbluetooth信号の検波出力である各Ｉ，Ｑ信号が入力されると、アンテナＡＮＴ１またはＡＮＴ２に到達した信号とアンテナＡＮＴ３に到達した信号との遅延時間差がなくなるように演算処理を行い、上記各Ｉ，Ｑ信号を合成する。
受信波の合成ダイバーシティ方式では、受信波を合成するため、受信した信号のエネルギーを無駄なく用いることができ、よりよいダイバーシティを行うことができる。
【００６２】
次に、動作を説明する。
まず、本実施の形態の通信装置１０におけるＰＤＣ信号の送受信タイミングとbluetooth信号についてのダイバーシティ動作タイミングとの関係について、図３を参照して説明する。
【００６３】
図３（Ａ）に示すように、ＰＤＣ送信回路１２では、２０／３ｍｓの送信スロットにおいて送信動作を行い、その後一定時間を非送信スロットとする。
また、図３（Ｂ）に示すように、ＰＤＣ受信回路１１では、上記送信スロット後の２０／３ｍｓを受信スロットとし、この受信スロットで受信動作を行う。その後一定時間を非受信スロットとする。
【００６４】
そして、本実施の形態では、図３（Ｃ）に示すように、ＰＤＣ受信回路１１においてＰＤＣ信号を受信していない区間（▲１▼の区間、即ち、非受信スロット）は、２系統のbluetooth受信回路２１，３１を動作させてbluetooth信号のダイバーシティを実行し、ＰＤＣ信号の受信中（▲２▼の区間、即ち、受信スロット）はbluetooth信号のダイバーシティを実行しないで、bluetooth受信回路２１での受信動作を行う。
そのため、ベースバンド部４は、スイッチＳＷ１を上記受信スロット（▲２▼）ではＢＰＦ１１ａ側に切替え、上記非受信スロット（▲１▼）ではＢＰＦ３１ａ側に切替える。
【００６５】
図３（Ｃ）に示すようなタイミングでbluetooth信号についてのダイバーシティ動作を実行するため、ベースバンド部４は図４に示すbluetooth信号のダイバーシティ制御処理を実行する。
図４はbluetooth信号についてのダイバーシティ制御処理を説明するフローチャートである。この処理はＰＤＣ信号の待ち受け中であるか、通信動作中であるかに関わらず実行される処理である。
【００６６】
図４に示すように、ベースバンド部４は、まずbluetooth通信動作中であるか否かを判別する（ステップＳ１）。
bluetooth通信動作中でない場合は（ステップＳ１；Ｎｏ）、通常のＰＤＣ通信のみを行なうため、bluetooth信号についてのダイバーシティ動作は行わない。
【００６７】
bluetooth通信動作中である場合は（ステップＳ１；Ｙｅｓ）、bluetooth受信回路２１にて測定されたＲＳＳＩ値を取得し、このＲＳＳＩ値が所定の閾値（ＸdB）より大きいか否かを判定する（ステップＳ２）。
【００６８】
ＲＳＳＩ値が所定の閾値より大きい場合、即ち、受信状況が良好である場合は（ステップＳ２；Ｙｅｓ）、bluetooth信号についてのダイバーシティを行わずに、bluetooth受信回路２１における検波出力（Ｉ，Ｑ信号）をbluetooth信号としてベースバンド部４におけるその後の処理に使用する（ステップＳ５）。この間は、bluetooth信号についてのダイバーシティを実行しないためbluetooth受信回路３１への電源供給を遮断してもよい。
【００６９】
ＲＳＳＩ値が所定の閾値以下である場合、即ち、受信状況が良好でない場合は（ステップＳ２；Ｎｏ）、更に、現在ＰＤＣ信号を受信中であるか否かを判別し（ステップＳ３）、ＰＤＣ信号を受信している場合、即ち、ＰＤＣ受信回路１１の受信スロットでは（ステップＳ３；Ｙｅｓ）、bluetooth信号についてのダイバーシティを実行しないで、bluetooth受信回路２１のみで受信動作を行わせる（ステップＳ５）。
【００７０】
一方、ＰＤＣ信号を受信していない場合、即ち、ＰＤＣ通信の待ち受け動作中か、或いはＰＤＣ通信中であって非受信スロットにある場合は（ステップＳ３；Ｎｏ）、bluetooth信号についてのダイバーシティを実行する（ステップＳ４）。
【００７１】
即ち、ベースバンド部４はスイッチＳＷ１をＢＰＦ３１ａ側に切替え、ＡＮＴ１またはＡＮＴ２にて受信されbluetooth受信回路３１から供給される検波出力と、ＡＮＴ３にて受信されbluetooth受信回路２１から供給される検波出力と、を用いて検波後選択ダイバーシティ、あるいは受信波の合成ダイバーシティを行う。
【００７２】
ベースバンド部４は上述のステップＳ１〜Ｓ５の処理を繰り返す。即ち、ＰＤＣ信号の受信スロットになると、スイッチＳＷ１をＢＰＦ１１ａ側に切替え、bluetooth信号のダイバーシティ動作を停止し、ＰＤＣ信号の非受信スロットになると、スイッチＳＷ１をＢＰＦ３１ａ側に切替え、bluetooth信号のダイバーシティ動作を実行する。
【００７３】
以上説明したように、本実施の形態の通信装置１０は、ＰＤＣ受信回路１１とbluetooth受信回路２１との双方を搭載した通信装置において、更に一系統のbluetooth受信回路３１をＰＤＣ受信回路１１の一部を共用して備える。即ち、ＰＤＣ受信用のアンテナＡＮＴ１，ＡＮＴ２をbluetooth受信用のアンテナとして共用し、また、ＰＤＣ受信回路１１のうちＬＮＡ１１ｂを共用する。また、ＡＮＴ１，ＡＮＴ２にて受信した信号の供給先をＰＤＣ受信回路１１側またはbluetooth受信回路３１側の何れかに切替えるスイッチＳＷ１を備える。
【００７４】
そして、ベースバンド部４は、bluetooth通信中であって、ＰＤＣ受信回路１１におけるＰＤＣ信号の非受信中（ＰＤＣ待ち受け中、及びＰＤＣ非受信スロット）は、スイッチＳＷ１をbluetooth受信回路３１側に切替え、bluetooth受信回路３１にてアンテナＡＮＴ１またはＡＮＴ２における受信信号からbluetooth信号を抽出させ、また、アンテナＡＮＴ３における受信信号からbluetooth受信回路２１にてbluetooth信号を抽出させ、これら２系統のbluetooth受信回路２１及び３１からの検波出力を用いてbluetooth信号についてのダイバーシティを実行する。
【００７５】
従って、回路構成を最小限に抑えたまま、２系統のbluetooth受信回路を備えることができ、bluetooth信号についてのダイバーシティ動作を行えるようになる。その結果、bluetooth信号の通信品質を向上でき、安定した通信動作を行なえるようになる。
【００７６】
特に、ＰＤＣ信号受信用のアンテナＡＮＴ１及びＡＮＴ２をbluetooth信号の受信にも共用するため、各受信回路１１、２１、３１に夫々個別にアンテナを設ける必要がなく、通信装置１０を小型化できる。
【００７７】
また、ＰＤＣ受信回路１１のＬＮＡ１１ｂをbluetooth受信回路３１の一部として共用するので、通信装置１０をより小型化できる。
【００７８】
また、ベースバンド部４は、bluetooth受信回路２１における受信状況を検出して、受信状況が良好であればbluetooth信号についてのダイバーシティを実行しない、即ち、bluetooth受信回路２１のみ動作させ、bluetooth受信回路３１の動作を停止しているため、適切なダイバーシティ制御を行うことができ、消費電力を低減できる。
【００７９】
なお、上述の実施の形態では、本通信装置１０にＰＤＣ方式の受信回路とbluetooth方式の受信回路とを搭載する例を示したが、通信方式はこれらに限定されるものではなく、例えば、ＰＤＣ方式に代えて、ＧＳＭ、ＩＭＴ-２０００等のその他の通信方式としてもよい。
【００８０】
また、本実施の形態ではＰＤＣ受信回路を１系統とし、アンテナを２本備えたてＰＤＣ信号についてはアンテナ切替ダイバーシティを行うこととしたが、これに限定されるものではなく、例えば、アンテナを３本以上備えてＰＤＣ信号についてのダイバーシティの性能を更に向上させるものとしたり、或いはＰＤＣ受信回路１１を複数系統備え、ＰＤＣ信号について検波後選択ダイバーシティや受信波の合成ダイバーシティを行うものとしてもよい。
【００８１】
また、上述の実施の形態では、ＲＳＳＩ値の大きさにより受信状況を判定しているがこれに限定されるものではなく、ビット誤り率の大きさにより受信状況を判定してもよい。この場合、ビット誤り率が所定の閾値より小さければ、受信状況が良好である判定される。
【００８２】
【発明の効果】
請求項１記載の発明によれば、第２の受信回路とは別に、第１の無線信号を受信する第１の受信回路の一部を共用して第２の無線信号を受信する第３の受信回路を備えたことにより、簡略な構成で、第２の無線信号の受信回路を２系統備えることができる。また、ダイバーシティ制御手段によって、第１の受信回路における非受信動作中に、これら２系統（第２及び第３）の受信回路を用いて第２の信号についてのダイバーシティを実行するようにしたので、装置全体の回路構成を最小限に抑えたまま、第２の無線信号の受信特性を向上させることができ、安定した通信動作を行なえるようになる。また、切替制御手段によって、第２の受信回路における受信動作中であって、第１の受信回路における非受信動作中に、第３の受信回路において第２の無線信号を受信するように自動的に切替えるので、この区間において第２の無線信号についてのダイバーシティを実行でき、第１の無線信号の受信を妨げずに、第２の無線信号の受信特性を向上できる。また、受信状況判定手段によって、第２の受信回路における受信状況を判定し、この判定結果に応じて第２の無線信号についてのダイバーシティを実行するため、受信状況が良好であれば第２の無線信号についてのダイバーシティを行う必要がなくなるため、適切なダイバーシティ制御が行える。
【００８３】
請求項２記載の発明によれば、ダイバーシティ制御手段によって、第１の受信回路における受信動作中に、第１の受信回路を用いて第１の信号についてのダイバーシティを実行するようにしたので、第１の無線信号の受信特性を向上させることができ、安定した通信動作を行なえるようになる。
【００８４】
請求項３記載の発明によれば、第１及び第３の受信回路でアンテナを共用し、そのアンテナにおける受信信号から第１の受信回路では第１の無線信号を抽出し、第３の受信回路では第２の無線信号を抽出でき、更に、第２の受信回路では、そのアンテナとは異なるアンテナにて第２の無線信号を受信できるので、異なる２つのアンテナから第２の無線信号を夫々受信して、ダイバーシティを実行できる。また、アンテナのような大規模な構成を、第１及び第３の受信回路で共用できるので、装置を小型化できる。
【００８５】
請求項４記載の発明によれば、第１及び第３の受信回路は、更に電力増幅器を共用するので装置をより小型化できる。
【００８６】
請求項５記載の発明によれば、bluetooth規格に準じた無線通信機能を組み込んだ携帯電話に適用し、携帯電話端末を小型に抑えたまま、bluetooth規格に準じた無線通信の通信品質を向上できる。
【００８７】
請求項６記載の発明によれば、第２の受信回路とは別に、第１の無線信号を受信する第１の受信回路の一部を共用して第２の無線信号を受信する第３の受信回路を備えた通信装置における通信動作を制御するために、前記第２の受信回路における受信動作中であって、前記第１の受信回路における非受信動作中に、前記第３の受信回路において前記第２の無線信号を受信するように切替え、前記第２及び第３の受信回路を用いて、第２の無線信号についてのダイバーシティを実行制御する。また、第２の受信回路における受信状況を判定し、この判定結果に応じて第２の無線信号についてのダイバーシティを実行するか否かを決定するため、１系統の受信回路での受信状況が良好であれば第２の無線信号についてのダイバーシティを行う必要がなくなるため、適切なダイバーシティ制御が行える。
【００８８】
請求項７記載の発明によれば、ダイバーシティ制御手段によって、第１の受信回路における受信動作中に、第１の受信回路を用いて第１の信号についてのダイバーシティを実行するようにしたので、第１の無線信号の受信特性を向上させることができ、安定した通信動作を行なえるようになる。
【図面の簡単な説明】
【図１】通信装置１０の構成の一例を示すブロック図である。
【図２】  bluetooth通信における送受信タイミングの一例を示す図である。
【図３】ＰＤＣ信号の送受信タイミングとbluetooth信号についてのダイバーシティ動作タイミングとの関係を示す図である。
【図４】  bluetooth信号についてのダイバーシティ制御処理を説明するフローチャートである。
【図５】  bluetooth規格に準じた通信回路を組み込んだＰＤＣ方式の携帯電話の通信部１００の従来の構成を示すブロック図である。
【符号の説明】
１０      通信装置
１１      ＰＤＣ受信回路（第１の受信回路）
１２      ＰＤＣ送信回路
１３      アンテナ切替器
ＡＮＴ１  アンテナ
ＡＮＴ２  アンテナ
２１      bluetooth受信回路（第２の受信回路）
２２      bluetooth送信回路
２３      アンテナ切替器
ＡＮＴ３  アンテナ（第２のアンテナ）
３１      bluetooth受信回路（第３の受信回路）
４        ベースバンド部
ＳＷ１    スイッチ
【図１】
0003751205.tif 000002
【図２】
0003751205.tif 000003
【図３】
0003751205.tif 000004
【図４】
0003751205.tif 000005
【図５】
0003751205.tif 000006